(57)【特許請求の範囲】
【請求項１】
電池の充電を行う充電装置であって、
前記電池の周囲の温度を測定する温度測定部と、
前記温度と電圧値とをあらかじめ対応付けて記憶する記憶部と、
前記温度測定部が測定した温度と対応付けられた電圧値を前記記憶部から読み出す制御部と、
前記制御部が読み出した電圧値で前記電池の充電を行う充電部とを有し、
前記記憶部は、前記温度が高いほど、高い電圧値を該温度と対応付けられた電圧値として記憶する充電装置。
【請求項２】
請求項１に記載の充電装置において、
前記記憶部は、複数の温度範囲それぞれと対応付けられた電圧値を記憶することを特徴とする充電装置。
【請求項３】
請求項１に記載の充電装置において、
前記記憶部は、前記電圧値として、前記電池のフロート充電電圧値を記憶することを特徴とする充電装置。
【請求項４】
請求項１に記載の充電装置において、
前記記憶部は、前記電圧値として、前記電池の維持待機電圧値を記憶することを特徴とする充電装置。
【請求項５】
請求項１に記載の充電装置において、
前記記憶部は、前記電圧値の代わりにＳＯＣを記憶し、
前記制御部は、前記温度測定部が測定した温度と対応付けられたＳＯＣを前記記憶部から読み出し、該読み出したＳＯＣと前記電池の許容充電電圧値との積を前記電圧値として算出し、
前記充電部は、前記制御部が算出した電圧値で前記電池の充電を行うことを特徴とする充電装置。
【請求項６】
請求項１に記載の充電装置において、
前記温度測定部に代わって、現在の月を示す時計を有し、
前記記憶部は、前記月と電圧値とをあらかじめ対応付けて記憶し、
前記制御部は、前記時計が示す月と対応付けられた電圧値を前記記憶部から読み出すことを特徴とする充電装置。
【請求項７】
電池の充電を行う充電方法であって、
前記電池の周囲の温度を測定するステップと、
前記測定した温度と対応付けられた電圧値で前記電池の充電を行う充電ステップとを行い、
前記充電ステップでは、前記測定した温度が高いほど、高い電圧値で前記電池の充電を行う充電方法。
【請求項８】
請求項７に記載の充電方法において、
前記充電ステップは、前記測定した温度が含まれる温度範囲と対応付けられた電圧値で前記電池の充電を行うことを特徴とする充電方法。
【請求項９】
請求項７に記載の充電方法において、
前記充電ステップは、前記電圧値として、前記電池のフロート充電電圧値を用いることを特徴とする充電方法。
【請求項１０】
請求項７に記載の充電方法において、
前記充電ステップは、前記電圧値として、前記電池の維持待機電圧値を用いることを特徴とする充電方法。
【請求項１１】
請求項７に記載の充電方法において、
前記充電ステップは、前記電圧値の代わりにＳＯＣを用いて、前記測定した温度と対応付けられたＳＯＣと前記電池の許容充電電圧値とを掛け合わせた電圧値で前記電池の充電を行うことを特徴とする充電方法。
【請求項１２】
請求項７に記載の充電方法において、
前記充電ステップは、現在の月と対応付けられた電圧値で前記電池の充電を行うことを特徴とする充電方法。
【請求項１３】
電池の充電を行う充電装置に、
前記電池の周囲の温度を測定する手順と、
前記測定した温度と対応付けられた電圧値で前記電池の充電を行う充電手順とを実行させ、
前記充電手順では、前記測定した温度が高いほど、高い電圧値で前記電池の充電を行う手順を実行させるためのプログラム。
【請求項１４】
請求項１３に記載のプログラムにおいて、
前記充電手順は、前記測定した温度が含まれる温度範囲と対応付けられた電圧値で前記電池の充電を行うことを特徴とするプログラム。
【請求項１５】
請求項１３に記載のプログラムにおいて、
前記充電手順は、前記電圧値として、前記電池のフロート充電電圧値を用いることを特徴とするプログラム。
【請求項１６】
請求項１３に記載のプログラムにおいて、
前記充電手順は、前記電圧値として、前記電池の維持待機電圧値を用いることを特徴とするプログラム。
【請求項１７】
請求項１３に記載のプログラムにおいて、
前記充電手順は、前記電圧値の代わりにＳＯＣを用いて、前記測定した温度と対応付けられたＳＯＣと前記電池の許容充電電圧値とを掛け合わせた電圧値で前記電池の充電を行うことを特徴とするプログラム。
【請求項１８】
請求項１３に記載のプログラムにおいて、
前記充電手順は、現在の月と対応付けられた電圧値で前記電池の充電を行うことを特徴とするプログラム。
【発明の詳細な説明】
【技術分野】
【０００１】
本発明は、電池の充電を行う充電装置、充電方法およびプログラムに関する。
【背景技術】
【０００２】
近年、様々な分野において、環境問題への関心が深まってきている。
【０００３】
その中で、電力供給の分野においては、ＰＶ（Ｐｈｏｔｏ  Ｖｏｌｔａｎｉｃ）発電による電力供給や、電気自動車（ＥＶ：Ｅｌｅｃｔｒｉｃ  Ｖｅｈｉｃｌｅ）やハイブリッド電気自動車（ＨＥＶ：Ｈｙｂｒｉｄ  ＥＶ）に用いられる二次電池の活用による電力供給等が注目されてきている。この二次電池としては、リチウムイオン二次電池が有力視されており、今後の普及に合わせて、鉛蓄電池の代替などが予想される。
【０００４】
一方、リチウム二次電池は、充電時の周囲温度に応じて、電池の寿命が左右される。
【０００５】
そこで、電池の周囲の温度をペルチェ素子を用いて制御することによって長寿命化を達成する技術が考えられている（例えば、特許文献１参照。）。
【先行技術文献】
【特許文献】
【０００６】
【特許文献１】特開２００６−１９６２９６号公報
【発明の概要】
【発明が解決しようとする課題】
【０００７】
しかしながら、特許文献１に記載されたような技術を用いた場合、多額な冷却コストがかかってしまい、また、その冷却には多大なエネルギーが必要になってしまうという問題点がある。
【０００８】
本発明の目的は、上述した課題を解決した、長寿命化を達成する充電装置、充電方法およびプログラムを提供することである。
【課題を解決するための手段】
【０００９】
本発明の充電装置は、
電池の充電を行う充電装置であって、
前記電池の周囲の温度を測定する温度測定部と、
前記温度と電圧値とをあらかじめ対応付けて記憶する記憶部と、
前記温度測定部が測定した温度と対応付けられた電圧値を前記記憶部から読み出す制御部と、
前記制御部が読み出した電圧値で前記電池の充電を行う充電部とを有する。
【００１０】
また、本発明の充電方法は、
電池の充電を行う充電方法であって、
前記電池の周囲の温度を測定するステップと、
前記測定した温度と対応付けられた電圧値で前記電池の充電を行う充電ステップとを行う。
【００１１】
また、本発明のプログラムは、
電池の充電を行う充電装置に実行させるためのプログラムであって、
前記電池の周囲の温度を測定する手順と、
前記測定した温度と対応付けられた電圧値で前記電池の充電を行う充電手順とを実行させる。
【発明の効果】
【００１２】
以上説明したように、本発明においては、電池の長寿命化を容易に実現することができる。
【図面の簡単な説明】
【００１３】
【図１】実験結果である充電電圧値に対する３種類の温度における劣化度の一例を示す表である。
【図２】本発明の充電装置の第１の実施の形態を示す図である。
【図３】図２に示した記憶部に記憶されている、温度と電圧値との対応付けの一例を示す図である。
【図４】図２に示した第１の実施の形態における充電方法を説明するためのフローチャートである。
【図５】図２に示した記憶部に記憶されている、温度とＳＯＣとの対応付けの一例を示す図である。
【図６】図５に示した対応付けが記憶された記憶部を用いた場合の第１の実施の形態における充電方法を説明するためのフローチャートである。
【図７】本発明の充電装置の第２の実施の形態を示す図である。
【図８】図７に示した記憶部に記憶されている、月と電圧値との対応付けの一例を示す図である。
【図９】図７に示した第２の実施の形態における充電方法を説明するためのフローチャートである。
【図１０】図７に示した記憶部に記憶されている、月とＳＯＣとの対応付けの一例を示す図である。
【図１１】図１０に示した対応付けが記憶された記憶部を用いた場合の第２の実施の形態における充電方法を説明するためのフローチャートである。
【発明を実施するための形態】
【００１４】
二次電池を充電する際の当該電池の周囲の温度およびそのときの充電電圧値が当該電池の劣化度と関係があるという実験結果が得られている。
【００１５】
具体的には、電池の周囲の温度が低いときには、通常言われる高い充電電圧値の状態での劣化差異が少なく、また、電池の周囲の温度が高いときには、充電電圧値が低いことによる劣化が増進している結果が得られている。
【００１６】
図１は、実験結果である充電電圧値に対する３種類の温度における劣化度の一例を示す表である。
【００１７】
図１に示した表には、充電電圧値が、３．９Ｖ、４．１Ｖおよび４．２Ｖのときの、電池の周囲の温度２５℃、３５℃および４５℃における劣化度が示されている。ここで劣化度を「Ａ」、「Ｂ」および「Ｃ」で示す。劣化度「Ａ」は、電池の劣化の程度が小さいことを示している。また、劣化度「Ｂ」は、電池の劣化の程度が中程度であることを示している。また、劣化度「Ｃ」は、電池の劣化の程度が大きいことを示している。
【００１８】
例えば、充電電圧値が３．９Ｖであり、電池の周囲の温度が２５℃である場合、劣化度は「Ｂ」である。これは、電池の周囲の温度が２５℃のときに、３．９Ｖの充電電圧値で充電を行うと、その充電された電池の劣化度は「Ｂ」であることを示している。また、充電電圧値が３．９Ｖであり、電池の周囲の温度が３５℃である場合、劣化度は「Ｃ」である。これは、電池の周囲の温度が３５℃のときに、３．９Ｖの充電電圧値で充電を行うと、その充電された電池の劣化度は「Ｃ」であることを示している。また、充電電圧値が３．９Ｖであり、電池の周囲の温度が４５℃である場合、劣化度は「Ｃ」である。これは、電池の周囲の温度が４５℃のときに、３．９Ｖの充電電圧値で充電を行うと、その充電された電池の劣化度は「Ｃ」であることを示している。
【００１９】
また、充電電圧値が４．１Ｖであり、電池の周囲の温度が２５℃である場合、劣化度は「Ａ」である。これは、電池の周囲の温度が２５℃のときに、４．１Ｖの充電電圧値で充電を行うと、その充電された電池の劣化度は「Ａ」であることを示している。また、充電電圧値が４．１Ｖであり、電池の周囲の温度が３５℃である場合、劣化度は「Ｂ」である。これは、電池の周囲の温度が３５℃のときに、４．１Ｖの充電電圧値で充電を行うと、その充電された電池の劣化度は「Ｂ」であることを示している。また、充電電圧値が４．１Ｖであり、電池の周囲の温度が４５℃である場合、劣化度は「Ｂ」である。これは、電池の周囲の温度が４５℃のときに、４．１Ｖの充電電圧値で充電を行うと、その充電された電池の劣化度は「Ｂ」であることを示している。
【００２０】
また、充電電圧値が４．２Ｖであり、電池の周囲の温度が２５℃である場合、劣化度は「Ａ」である。これは、電池の周囲の温度が２５℃のときに、４．２Ｖの充電電圧値で充電を行うと、その充電された電池の劣化度は「Ａ」であることを示している。また、充電電圧値が４．２Ｖであり、電池の周囲の温度が３５℃である場合、劣化度は「Ａ」である。これは、電池の周囲の温度が３５℃のときに、４．２Ｖの充電電圧値で充電を行うと、その充電された電池の劣化度は「Ａ」であることを示している。また、充電電圧値が４．２Ｖであり、電池の周囲の温度が４５℃である場合、劣化度は「Ｂ」である。これは、電池の周囲の温度が４５℃のときに、４．２Ｖの充電電圧値で充電を行うと、その充電された電池の劣化度は「Ｂ」であることを示している。
【００２１】
この結果は、充電電圧値が低いときの正極劣化が高温時に増進するという最新の理論とも良く一致している。
【００２２】
また、温度が常温または低温時には、正極劣化が生じるが、電解液劣化とほぼ同等であるため、電圧値を低めに設定して電解液劣化を抑制する。一方、高温時には、電圧値を低めに設定してしまうと、正極の劣化が顕著になる。
【００２３】
そこで、本発明により、電池の長寿命化を実現する。
【００２４】
以下に、本発明の実施の形態について図面を参照して説明する。
（第１の実施の形態）
図２は、本発明の充電装置の第１の実施の形態を示す図である。
【００２５】
本形態における充電装置１００には図２に示すように、温度測定部１１０と、記憶部１２０と、制御部１３０と、充電部１４０とが設けられている。また、充電装置１００は、充電可能な電池２００と接続されている。
【００２６】
温度測定部１１０は、電池２００の周囲の温度を測定する温度計である。また、温度測定部１１０は、測定した温度を制御部１３０へ通知する。
【００２７】
記憶部１２０は、温度と、電池２００を充電する電圧値とを対応付けて記憶する。この対応付けは、外部から記憶部１２０にあらかじめ書き込まれているものである。なお、記憶部１２０は、温度が高いほど、高い電圧値を対応付けて記憶する。
【００２８】
図３は、図２に示した記憶部１２０に記憶されている、温度と電圧値との対応付けの一例を示す図である。ここでは、電圧値が、フロート充電電圧値である場合を例に挙げて説明する。
【００２９】
図２に示した記憶部１２０には図３に示すように、温度として複数の温度範囲と、フロート充電電圧値とが対応付けられて記憶されている。
【００３０】
例えば、温度３０℃未満とフロート充電電圧値３．９Ｖとが対応付けられて記憶されている。また、温度３０℃以上４０℃未満とフロート充電電圧値４．１Ｖとが対応付けられて記憶されている。また、温度４０℃以上とフロート充電電圧値４．２Ｖとが対応付けられて記憶されている。これらは、制御部１３０によって、温度に応じてフロート充電電圧値が読み出される。
【００３１】
制御部１３０は、温度測定部１１０から通知された温度と対応する電圧値（図３に示した例では、フロート充電電圧値）を記憶部１２０から読み出す。
【００３２】
例えば、温度測定部１１０から通知された温度が２５℃である場合、温度２５℃は記憶部１２０において温度３０℃未満に属するため、温度３０℃未満と対応付けられたフロート充電電圧値３．９Ｖが読み出される。また、温度測定部１１０から通知された温度が３５℃である場合、温度３５℃は記憶部１２０において温度３０℃以上４０℃未満に属するため、温度３０℃以上４０℃未満と対応付けられたフロート充電電圧値４．１Ｖが読み出される。また、温度測定部１１０から通知された温度が４５℃である場合、温度４５℃は記憶部１２０において温度４０℃以上に属するため、温度４０℃以上と対応付けられたフロート充電電圧値４．２Ｖが読み出される。
【００３３】
また、制御部１３０は、記憶部１２０から読み出した電圧値を充電部１４０へ通知する。
【００３４】
充電部１４０は、制御部１３０から通知された電圧値で、電池２００の充電を行う。
【００３５】
以下に、第１の実施の形態における充電方法について説明する。
【００３６】
図４は、図２に示した第１の実施の形態における充電方法を説明するためのフローチャートである。
【００３７】
充電装置１００によって電池２００の充電が行われる際、まず、温度測定部１１０によって電池２００の周囲の温度が測定される（ステップＳ１）。
【００３８】
すると、測定された温度が温度測定部１１０から制御部１３０へ通知され、制御部１３０によって当該温度と対応する電圧値（図３に示した例では、フロート充電電圧値）が記憶部１２０から読み出される（ステップＳ２）。
【００３９】
制御部１３０によって記憶部１２０から読み出された電圧値は制御部１３０から充電部１４０へ通知され、充電部１４０によって当該電圧値で電池２００の充電が開始される（ステップＳ３）。このとき、すでに電圧値が設定されている場合は、制御部１３０から通知された電圧値（充電値）へ変更され、変更された電圧値で電池２００の充電が開始される。
【００４０】
また、図２に示した記憶部１２０には、温度とＳＯＣ（Ｓｔａｔｅ  Ｏｆ  Ｃｈａｒｇｅ）とが対応付けられて記憶されているものであっても良い。このＳＯＣは、電池２００の充電（放電）状態を示すものであり、電池２００の残容量や充電容量がどの程度であるかの目安となり、電池２００の許容充電電圧値（充電可能な電圧の最大値）に対する割合（％）で示す場合もある。
【００４１】
図５は、図２に示した記憶部１２０に記憶されている、温度とＳＯＣとの対応付けの一例を示す図である。
【００４２】
この場合、図５に示すように、図２に示した記憶部１２０には、温度として複数の温度範囲とＳＯＣとが対応付けられて記憶されている。
【００４３】
例えば、温度３０℃未満とＳＯＣ９３％とが対応付けられて記憶されている。また、温度３０℃以上４０℃未満とＳＯＣ９８％とが対応付けられて記憶されている。また、温度４０℃以上とＳＯＣ１００％とが対応付けられて記憶されている。これらは、制御部１３０によって、温度に応じてＳＯＣが読み出される。
【００４４】
また、この場合、制御部１３０にて読み出されたＳＯＣを用いた計算が行われる。この計算の詳細については、後述する。
【００４５】
以下に、図５に示した対応付けが記憶された記憶部１２０を用いた場合の第１の実施の形態における充電方法について説明する。
【００４６】
図６は、図５に示した対応付けが記憶された記憶部１２０を用いた場合の第１の実施の形態における充電方法を説明するためのフローチャートである。
【００４７】
充電装置１００によって電池２００の充電が行われる際、まず、温度測定部１１０によって電池２００の周囲の温度が測定される（ステップＳ１１）。
【００４８】
すると、測定された温度が温度測定部１１０から制御部１３０へ通知され、制御部１３０によって当該温度と対応するＳＯＣが記憶部１２０から読み出される（ステップＳ１２）。
【００４９】
続いて、制御部１３０にて、記憶部１２０から読み出されたＳＯＣと、電池２００の許容充電電圧値とが掛け合わせられる。つまり、制御部１３０にて、記憶部１２０から読み出されたＳＯＣと電池２００の許容充電電圧値との積が、電圧値として算出される（ステップＳ１３）。
【００５０】
以下に、この電圧値の算出方法について、具体的な例を挙げて説明する。なお、ここでは、許容充電電圧値が４．２Ｖである場合を例に挙げて説明する。
【００５１】
例えば、温度測定部１１０から通知された温度が２５℃である場合、温度２５℃は記憶部１２０において温度３０℃未満に属するため、温度３０℃未満と対応付けられたＳＯＣ９３％が制御部１３０によって記憶部１２０から読み出される。すると、読み出されたＳＯＣと許容充電電圧値との積（９３％×４．２Ｖ＝３．９Ｖ）が電圧値として制御部１３０によって算出される。また、温度測定部１１０から通知された温度が３５℃である場合、温度３５℃は記憶部１２０において温度３０℃以上４０℃未満に属するため、温度３０℃以上４０℃未満と対応付けられたＳＯＣ９８％が制御部１３０によって記憶部１２０から読み出される。すると、読み出されたＳＯＣと許容充電電圧値との積（９８％×４．２Ｖ＝４．１Ｖ）が電圧値として制御部１３０によって算出される。また、温度測定部１１０から通知された温度が４５℃である場合、温度４５℃は記憶部１２０において温度４０℃以上に属するため、温度４０℃以上と対応付けられたＳＯＣ１００％が制御部１３０によって記憶部１２０から読み出される。すると、読み出されたＳＯＣと許容充電電圧値との積（１００％×４．２Ｖ＝４．２Ｖ）が電圧値として制御部１３０によって算出される。
【００５２】
制御部１３０によって算出された電圧値は、制御部１３０から充電部１４０へ通知される。
【００５３】
そして、充電部１４０にて、制御部１３０から通知された電圧値で電池２００の充電が開始される（ステップＳ１４）。このとき、すでに電圧値が設定されている場合は、制御部１３０から通知された電圧値（充電値）へ変更され、変更された電圧値で電池２００の充電が開始される。
【００５４】
このように、電池２００の周囲の温度に応じて電池２００の充電電圧値を変化させること、特に、電池の周囲の温度が高ければ高いほど、電池２００の充電電圧値を高い値として充電することで、電池の長寿命化を実現することができる。
（第２の実施の形態）
図７は、本発明の充電装置の第２の実施の形態を示す図である。
【００５５】
本形態における充電装置１０１には図７に示すように、時計１５０と、記憶部１２１と、制御部１３１と、充電部１４０とが設けられている。また、充電装置１０１は、充電可能な電池２００と接続されている。
【００５６】
時計１５０は、現在の月（１月〜１２月）を示す。なお、時計１５０は、一般的な時を刻むものであっても良いが、月を示す機能を具備するものであることは必須である。
【００５７】
記憶部１２１は、月（１月〜１２月）と、電池を充電する電圧値とを対応付けて記憶する。この対応付けは、外部から記憶部１２１にあらかじめ書き込まれているものである。なお、記憶部１２１は、一般的に温度の高い夏の月であれば、高い電圧値を対応付けて記憶する。また、記憶部１２１は、一般的に温度の低い冬の月であれば、低い電圧値を対応付けて記憶する。
【００５８】
図８は、図７に示した記憶部１２１に記憶されている、月と電圧値との対応付けの一例を示す図である。ここでは、電圧値が、フロート充電電圧値である場合を例に挙げて説明する。
【００５９】
図７に示した記憶部１２１には図８に示すように、複数の月の集まりと、フロート充電電圧値とが対応付けられて記憶されている。
【００６０】
例えば、１２月、１月、２月、３月とフロート充電電圧値３．９Ｖとが対応付けられて記憶されている。また、４月、５月、１０月、１１月とフロート充電電圧値４．１Ｖとが対応付けられて記憶されている。また、６月、７月、８月、９月とフロート充電電圧値４．２Ｖとが対応付けられて記憶されている。これらは、制御部１３０によって、月に応じてフロート充電電圧値が読み出される。
【００６１】
制御部１３１は、時計１５０が示す現在の月と対応する電圧値（図８に示した例では、フロート充電電圧値）を記憶部１２０から読み出す。
【００６２】
例えば、時計１５０が示す現在の月が１月である場合、１月と対応付けられたフロート充電電圧値３．９Ｖが読み出される。また、時計１５０が示す現在の月が２月である場合、２月と対応付けられたフロート充電電圧値３．９Ｖが読み出される。また、時計１５０が示す現在の月が３月である場合、３月と対応付けられたフロート充電電圧値３．９Ｖが読み出される。また、時計１５０が示す現在の月が４月である場合、４月と対応付けられたフロート充電電圧値４．１Ｖが読み出される。また、時計１５０が示す現在の月が５月である場合、５月と対応付けられたフロート充電電圧値４．１Ｖが読み出される。また、時計１５０が示す現在の月が６月である場合、６月と対応付けられたフロート充電電圧値４．２Ｖが読み出される。また、時計１５０が示す現在の月が７月である場合、７月と対応付けられたフロート充電電圧値４．２Ｖが読み出される。また、時計１５０が示す現在の月が８月である場合、８月と対応付けられたフロート充電電圧値４．２Ｖが読み出される。また、時計１５０が示す現在の月が９月である場合、９月と対応付けられたフロート充電電圧値４．２Ｖが読み出される。また、時計１５０が示す現在の月が１０月である場合、１０月と対応付けられたフロート充電電圧値４．１Ｖが読み出される。また、時計１５０が示す現在の月が１１月である場合、１１月と対応付けられたフロート充電電圧値４．１Ｖが読み出される。また、時計１５０が示す現在の月が１２月である場合、１２月と対応付けられたフロート充電電圧値３．９Ｖが読み出される。
【００６３】
また、制御部１３１は、記憶部１２１から読み出した電圧値を充電部１４０へ通知する。
【００６４】
充電部１４０は、制御部１３１から通知された電圧値で、電池２００の充電を行う。
【００６５】
以下に、第２の実施の形態における充電方法について説明する。
【００６６】
図９は、図７に示した第２の実施の形態における充電方法を説明するためのフローチャートである。
【００６７】
時計１５０によって、現在の月が常時示されている（ステップＳ２１）。
【００６８】
充電装置１０１によって電池２００の充電が行われる際、制御部１３１によって、時計１５０が示している現在の月と対応する電圧値（図８に示した例では、フロート充電電圧値）が記憶部１２１から読み出される（ステップＳ２２）。
【００６９】
制御部１３１によって記憶部１２１から読み出された電圧値は制御部１３１から充電部１４０へ通知され、充電部１４０によって当該電圧値で電池２００の充電が開始される（ステップＳ２３）。このとき、すでに電圧値が設定されている場合は、制御部１３１から通知された電圧値（充電値）へ変更され、変更された電圧値で電池２００の充電が開始される。
【００７０】
また、図７に示した記憶部１２１には、月とＳＯＣ（Ｓｔａｔｅ  Ｏｆ  Ｃｈａｒｇｅ）とが対応付けられて記憶されているものであっても良い。このＳＯＣは、第１の実施の形態で説明したものである。
【００７１】
図１０は、図７に示した記憶部１２１に記憶されている、月とＳＯＣとの対応付けの一例を示す図である。
【００７２】
この場合、図１０に示すように、図７に示した記憶部１２１には月とＳＯＣとが対応付けられて記憶されている。
【００７３】
例えば、１２月、１月、２月、３月とＳＯＣ９３％とが対応付けられて記憶されている。また、４月、５月、１０月、１１月とＳＯＣ９８％とが対応付けられて記憶されている。また、６月、７月、８月、９月とＳＯＣ１００％とが対応付けられて記憶されている。これらは、制御部１３１によって、月に応じてＳＯＣが読み出される。
【００７４】
また、この場合、制御部１３１にて読み出されたＳＯＣを用いた計算が行われる。この計算の詳細については、後述する。
【００７５】
以下に、図１０に示した対応付けが記憶された記憶部１２１を用いた場合の第２の実施の形態における充電方法について説明する。
【００７６】
図１１は、図１０に示した対応付けが記憶された記憶部１２１を用いた場合の第２の実施の形態における充電方法を説明するためのフローチャートである。
【００７７】
時計１５０によって、現在の月が常時示されている（ステップＳ３１）。
【００７８】
充電装置１０１によって電池２００の充電が行われる際、制御部１３１によって、時計１５０が示している現在の月と対応するＳＯＣが記憶部１２１から読み出される（ステップＳ３２）。
【００７９】
続いて、制御部１３１にて、記憶部１２１から読み出されたＳＯＣと、電池２００の許容充電電圧値とが掛け合わせられる。つまり、制御部１３１にて、記憶部１２１から読み出されたＳＯＣと電池２００の許容充電電圧値との積が、電圧値として算出される（ステップＳ３３）。
【００８０】
以下に、この電圧値の算出方法について、具体的な例を挙げて説明する。なお、ここでは、許容充電電圧値が４．２Ｖである場合を例に挙げて説明する。
【００８１】
例えば、時計１５０が示す現在の月が１月である場合、１月と対応付けられたＳＯＣ９３％が制御部１３１によって記憶部１２１から読み出される。すると、読み出されたＳＯＣと許容充電電圧値との積（９３％×４．２Ｖ＝３．９Ｖ）が電圧値として制御部１３１によって算出される。また、時計１５０が示す現在の月が２月である場合、２月と対応付けられたＳＯＣ９３％が制御部１３１によって記憶部１２１から読み出される。すると、読み出されたＳＯＣと許容充電電圧値との積（９３％×４．２Ｖ＝３．９Ｖ）が電圧値として制御部１３１によって算出される。また、時計１５０が示す現在の月が３月である場合、３月と対応付けられたＳＯＣ９３％が制御部１３１によって記憶部１２１から読み出される。すると、読み出されたＳＯＣと許容充電電圧値との積（９３％×４．２Ｖ＝３．９Ｖ）が電圧値として制御部１３１によって算出される。また、時計１５０が示す現在の月が４月である場合、４月と対応付けられたＳＯＣ９８％が制御部１３１によって記憶部１２１から読み出される。すると、読み出されたＳＯＣと許容充電電圧値との積（９８％×４．２Ｖ＝４．１Ｖ）が電圧値として制御部１３１によって算出される。また、時計１５０が示す現在の月が５月である場合、５月と対応付けられたＳＯＣ９８％が制御部１３１によって記憶部１２１から読み出される。すると、読み出されたＳＯＣと許容充電電圧値との積（９８％×４．２Ｖ＝４．１Ｖ）が電圧値として制御部１３１によって算出される。また、時計１５０が示す現在の月が６月である場合、６月と対応付けられたＳＯＣ１００％が制御部１３１によって記憶部１２１から読み出される。すると、読み出されたＳＯＣと許容充電電圧値との積（１００％×４．２Ｖ＝４．２Ｖ）が電圧値として制御部１３１によって算出される。また、時計１５０が示す現在の月が７月である場合、７月と対応付けられたＳＯＣ１００％が制御部１３１によって記憶部１２１から読み出される。すると、読み出されたＳＯＣと許容充電電圧値との積（１００％×４．２Ｖ＝４．２Ｖ）が電圧値として制御部１３１によって算出される。また、時計１５０が示す現在の月が８月である場合、８月と対応付けられたＳＯＣ１００％が制御部１３１によって記憶部１２１から読み出される。すると、読み出されたＳＯＣと許容充電電圧値との積（１００％×４．２Ｖ＝４．２Ｖ）が電圧値として制御部１３１によって算出される。また、時計１５０が示す現在の月が９月である場合、９月と対応付けられたＳＯＣ１００％が制御部１３１によって記憶部１２１から読み出される。すると、読み出されたＳＯＣと許容充電電圧値との積（１００％×４．２Ｖ＝４．２Ｖ）が電圧値として制御部１３１によって算出される。また、時計１５０が示す現在の月が１０月である場合、１０月と対応付けられたＳＯＣ９８％が制御部１３１によって記憶部１２１から読み出される。すると、読み出されたＳＯＣと許容充電電圧値との積（９８％×４．２Ｖ＝４．１Ｖ）が電圧値として制御部１３１によって算出される。また、時計１５０が示す現在の月が１１月である場合、１１月と対応付けられたＳＯＣ９８％が制御部１３１によって記憶部１２１から読み出される。すると、読み出され���ＳＯＣと許容充電電圧値との積（９８％×４．２Ｖ＝４．１Ｖ）が電圧値として制御部１３１によって算出される。また、時計１５０が示す現在の月が１２月である場合、１２月と対応付けられたＳＯＣ９３％が制御部１３１によって記憶部１２１から読み出される。すると、読み出されたＳＯＣと許容充電電圧値との積（９３％×４．２Ｖ＝３．９Ｖ）が電圧値として制御部１３１によって算出される。
【００８２】
制御部１３１によって算出された電圧値は、制御部１３１から充電部１４０へ通知される。
【００８３】
そして、充電部１４０にて、制御部１３１から通知された電圧値で電池２００の充電が開始される（ステップＳ３４）。このとき、すでに電圧値が設定されている場合は、制御部１３１から通知された電圧値（充電値）へ変更され、変更された電圧値で電池２００の充電が開始される。
【００８４】
なお、月に応じた電圧値ではなく、時間帯に応じた電圧値を用いるものであっても良い。
【００８５】
このように、現在の月を利用することで、互いに温度（気温）の異なる四季に応じて、電池２００の充電電圧値を変化させること、特に、気温が高い月（季節）であるほど、電池２００の充電電圧値を高い値として充電することで、電池の長寿命化を実現することができる。
【００８６】
なお、第１の実施の形態および第２の実施の形態においては、電池２００が１つずつである場合を例に挙げて説明したが、複数個の電池が直列に接続されているものであっても良い。その場合は、充電部１４０によって、１つのフロート充電電圧値×電池の個数分の電圧で当該電池の充電が行われることは言うまでもない。
【００８７】
また、温度条件により、フロート充電電圧値を制御するとともに、維持待機電圧値も同様に制御することで、電池の長寿命化を図ることができる。
【００８８】
このように、本発明においては、電圧に対する劣化の温度依存性を最新の正極劣化側に焦点を当て、運用状態の温度環境を監視することで、劣化を抑えるシステムの構築が可能となる。また、高コスト化および体積増加を抑制することができる。
【００８９】
また、初期、終期で電圧を変化させる手法では、容量コストが低下していたが、１年を通じて、四季影響を考慮しても、昼夜間の温度変化を考慮しても、平均的な容量を維持し続ける事で、初期の容量保持の高い時期により効果的な、エネルギー運用を検討できると共に、エネルギーコストの回収を早期に実現が期待できる。
【００９０】
上述した充電装置１００，１０１に設けられた各構成要素が行う処理は、目的に応じてそれぞれ作製された論理回路で行うようにしても良い。また、処理内容を記述したプログラムを充電装置１００，１０１にて読取可能な記録媒体に記録し、この記録媒体に記録されたプログラムを充電装置１００，１０１に読み込ませ、実行するものであっても良い。充電装置１００，１０１にて読取可能な記録媒体とは、フロッピー（登録商標）ディスク、光磁気ディスク、ＤＶＤ、ＣＤなどの移設可能な記録媒体の他、充電装置１００，１０１に内蔵されたＲＯＭ、ＲＡＭ等のメモリやＨＤＤ等を指す。この記録媒体に記録されたプログラムは、充電装置１００，１０１に設けられたＣＰＵ（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【符号の説明】
【００９１】
１００，１０１    充電装置
１１０    温度測定部
１２０，１２１    記憶部
１３０，１３１    制御部
１４０    充電部
１５０    時計
２００    電池
【図１】
0005622269.tif 000002
【図２】
0005622269.tif 000003
【図３】
0005622269.tif 000004
【図４】
0005622269.tif 000005
【図５】
0005622269.tif 000006
【図６】
0005622269.tif 000007
【図７】
0005622269.tif 000008
【図８】
0005622269.tif 000009
【図９】
0005622269.tif 000010
【図１０】
0005622269.tif 000011
【図１１】
0005622269.tif 000012